(57)【特許請求の範囲】
【請求項１】
使用する土嚢の形状が円柱形状又は楕円柱形状であって、該土嚢の一端が法面表層部に位置し、他端が法面の内部に向かうように積層敷設され、該土嚢の積層面が該端から他端に向けて水平に対する俯角の傾斜をもって配置され、堤体及び盛土から選ばれる盛土構造物に設置されてなる盛土構造物の補強構造。
【請求項２】
前記俯角が、５〜３５度であることを特徴とする請求項１に記載の盛土構造物の補強構造。
【請求項３】
前記俯角の傾斜をもって配置された土嚢の法面表層部からの長さが、少なくとも５０ｃｍであることを特徴とする請求項１に記載の盛土構造物の補強構造。
【請求項４】
前記土嚢の少なくとも一部が長尺土嚢であることを特徴とする請求項１〜３のいずれか１項に記載の盛土構造物の補強構造。
【請求項５】
前記長尺土嚢が、高さ方向及び／又は幅方向に間隔を空けて配列して設置されてなることを特徴とする請求項４に記載の盛土構造物の補強構造。
【請求項６】
前記長尺土嚢が、俯角の傾斜をもって配置された部分と、それに続く水平に配置された部分とを有することを特徴とする請求項４または５に記載の盛土構造物の補強構造。
【発明の詳細な説明】
【技術分野】
【０００１】
本発明は、背面土圧に対する抵抗力が高く、すべりに対する安定性が高い、土嚢を用いた堤体又は盛土の補強構造に関する。
【背景技術】
【０００２】
盛土や堤体を築堤するために法面表層部に土嚢を積層し、その背面に盛土を行う工法が採用されている。土嚢は現場の馴染みもよく、安価であり、築堤には有効な材料である。このような築堤工法においては、土嚢を法尻線に沿って水平に連続的に積層して土塁を形成し、その土塁の背面に盛土することによって築堤が行われる。
しかしながら、水平に連続的に積層した土嚢は、地震時などの大きな背面土圧がかかるときにはすべりを起こし、法面が変形したり、崩れたりするおそれがあった。
【発明の開示】
【発明が解決しようとする課題】
【０００３】
本発明らは、すべりに対する安定性が高く、特に地震時にもすべりに対する安定性が高い、土嚢を用いた盛土や堤体の築堤方法の開発を行った結果本発明に到達した。
本発明は、背面土圧に対する抵抗力が高く、すべりに対する安定性が高い、土嚢を用いた堤体又は盛土の補強構造を提供する。
【課題を解決するための手段】
【０００４】
本発明は、使用する土嚢の形状が円柱形状又は楕円柱形状であって、該土嚢の一端が法面表層部に位置し、他端が法面の内部に向かうように積層敷設され、該土嚢の積層面が該端から他端に向けて水平に対する俯角の傾斜をもって配置され、堤体及び盛土から選ばれる盛土構造物に設置されてなる盛土構造物の補強構造を提供する。
【０００５】
前記俯角が、５〜３５度である堤体又は盛土の補強構造は、本発明の好ましい態様である。
前記俯角の傾斜をもって配置された土嚢の法面表層部からの長さが、少なくとも５０ｃｍである堤体又は盛土の補強構造は、本発明の好ましい態様である。
【０００６】
前記土嚢の少なくとも一部が長尺土嚢である盛土構造物の補強構造は、本発明の好ましい態様である。
前記長尺土嚢が、高さ方向及び／又は幅方向に間隔を空けて配列して設置されて盛土構造物の補強構造は、本発明の好ましい態様である。
前記前記長尺土嚢が、俯角の傾斜をもって配置された部分と、それに続く水平に配置された部分とを有するものである盛土構造物の補強構造は、本発明の好ましい態様である。
【発明の効果】
【０００７】
本発明によれば、安価な材料を用いて簡単な工事により、背面土圧に対する抵抗力が高く、すべりに対する安定性が高い堤体又は盛土の補強構造が提供される。
本発明により、特に地震時においてすべりに対する安定性が高い、土嚢を用いた堤体又は盛土の補強構造が提供される。
本発明によれば、長尺土嚢を用いることによって法面の一体性が高く、また強度も大きく、法面の耐久性が優れた堤体又は盛土の補強構造が提供される。
【発明を実施するための最良の形態】
【０００８】
本発明は、土嚢の一端が法面表層部に位置し、該端から他端に向けて水平に対する俯角の傾斜をもって配置され、堤体又は盛土に設置されてなる堤体又は盛土の補強構造を提供する。
【０００９】
従来の築堤工法は、土嚢を法尻線に沿って水平に連続的に積層して土塁を形成し、その土塁の背面に盛土することによって築堤する工法であった。図２はこのような従来の築堤工法を示している。このような従来の築堤工法では、土嚢が水平に連続的に積層されているので、地震時などの大きな背面土圧がかかるときにはすべりを起こし、法面が変形したり、崩れたりするおそれがあった。
【００１０】
本発明における土嚢の設置工事において、土嚢の設置方法自体は従来公知のものを採用することができる。例えば、クレーンなどの運搬装置にて運搬して設置し、続いて土嚢の転圧を行う方法を挙げることができる。設置する際に土嚢背面土を撒き出し転圧することによって、本発明の傾斜をもって配置された土嚢の設置を行うことができる。
【００１１】
本発明の堤体又は盛土の補強構造では、土嚢が法面表層部に位置する端部から他端に向けて、水平に対する俯角の傾斜をもって配置されているので、すべりに対する安定性が高く、地震時にもすべりを起こしにくく、法面が変形したり、崩れたりするおそれが少ない堤体又は盛土の補強構造である。
【００１２】
本発明の土嚢が、水平に対する俯角の傾斜をもって配置されるとき、図１に示されているように積層敷設された土嚢の積層面と水平とがなす俯角は５〜３５度程度、好ましくは１５〜３０度程度であることが望ましい。
本発明で、俯角の傾斜をもって配置される土嚢の長さは、法面表層部からの長さが、少なくとも５０ｃｍであることが好ましく、５０ｃｍ〜３ｍ程度を確保することが好ましい
【００１３】
本発明で使用される土嚢は、土石材料が、柔軟性、透水性の優れた長尺の筒状袋材中に充填されたものであり、排水性能、補強効果、作業性、締め固め効果の影響範囲などを考慮すると、円柱形状又は楕円柱形状として、長さが０．５〜３．０ｍ、高さが３０〜５０ｃｍ、幅が３０〜２００ｃｍ程度のものが、また長尺土嚢の場合は、長さが１．５〜１０ｍ、好ましくは３〜１０ｍ程度が好適である。土石材料を充填した土嚢の重量としては、工事箇所に応じて定めるべきものであるが、設置工事における作業性を考慮すると、バックホウを使用する場合は２００〜６００ｋｇ、好ましくは４００〜６００ｋｇ程度、クレーンを使用する場合は３００〜３０００ｋｇ、好ましくは６００〜３０００ｋｇ程度とするのが好ましい。さらに土嚢の袋材としては、透水性を有し、耐水性、耐久性に優れた材料が好ましく、ポリエチレンやポリプロピレンなどのポリオレフィンやポリエステルの繊維やテープの織布を使用するのが好ましい。
【００１４】
土嚢に充填される土石材料としては、特に制限はないが、排水性良好な土石材料としては、礫質材料、砕石、建設廃材などであり、排水性の低い土石材料として粘土、シルト、現場掘削土などを例示することができる。また排水性に関してこれらの中間的な土石材料として、山土、川砂、海砂などの砂質材料を挙げることができる。排水性良好な土石材料が好ましいが、排水性に関し、勾配をつけるように充填した土嚢を使用することもできる。排水性良好な土石材料を使用するときは、パイピングが発生しない透水性がある粒度分布のものである必要があるが、その一方で堤体や盛土の細流分が流出しないような粒度分布のものが望ましい。具体的には、安価で入手が容易な礫質材料、砕石、建築廃材などを挙げることができるが、入手安定性を考慮すると、礫質材料又は砕石の使用が好ましい。
【００１５】
土嚢の設置は、堤体を形成する過程あるいは盛土を行う過程で、土嚢の長手方向に上記した傾斜をつけて、その一端が法面表層部に位置するようにし、法面より内部方向に向かって敷設し、その上に盛土することによって行なわれる。
土嚢の設置する際に、土嚢の一部を長尺土嚢とし、規則性をもって高さ方向及び幅方向に間隔を置いて設置すると、堤体あるいは盛土の強度を増すので補強の効果がある。
【００１６】
長尺土嚢を使用するとき、法面表層部から５０ｃｍ〜３ｍ程度を、俯角の傾斜をもって配置し、残余の部分を水平に配置してもよい。
【００１７】
本発明の堤体又は盛土の補強構造においては、補強効果を高めるために、ジオグリッドを上下の土嚢間の任意箇所に敷設することもできる。また土嚢を並列的に及び／又は積み重ねて配列する場合においては、ジオグリッドを、複数の土嚢を包み込むように敷設することもできる。
【００１８】
図１は、土嚢２が堤体１の法面を形成するように、土嚢の一端が法面表層部に位置し、該端から他端に向けて水平に対する俯角の傾斜をもって配置され、積み上げられた状態を示す模式図である。土嚢２は、緩勾配法面あるいは急勾配法面となるように積み上げてもよく、また垂直法面を形成するように積み上げてもよい。図１においては、長尺土嚢３が間隔を空けて配列して設置されている。長尺土嚢３の俯角の傾斜をもって配置された部分に続く部分４は、水平に配置されている。
【００１９】
図１の土嚢２の法面表層部からの長さｂが、少なくとも５０ｃｍ以上、好ましくは５０ｃｍ〜３ｍ程度であることが好ましく、また傾斜する土嚢の俯角ａが、５〜３５度程度、好ましくは１５〜３０度程度であることが好ましい。
【００２０】
図２は従来の土嚢を水平に積層する築堤工法一例を示す模式図である。堤体１の法面に土嚢２が水平方向に積層されている様子示している。
【産業上の利用可能性】
【００２１】
本発明の堤体又は盛土の補強構造では、土嚢による拘束によって、土嚢の滑りに対して補強効果を発揮するので、堤体全体の安全性が高められる。
本発明により、背面土圧に対する抵抗力が高く、すべりに対する安定性が高い堤体又は盛土の補強構造が提供される。
本発明によれば、安価な材料を用いて簡単な工事により、背面土圧に対する抵抗力が高く、すべりに対する安定性が高い堤体又は盛土の補強構造の構築を可能となる。
本発明により提供される土嚢を用いた堤体又は盛土の補強構造は、すべりに対する安定性が高いので、地震時などでも法面が変形したり、崩れたりし難い堤体又は盛土の補強構造が提供される。
本発明によれば、長尺土嚢を用いることによって法面の一体性が高く、また強度も大きく、法面の耐久性が優れた堤体又は盛土の補強構造が提供される。
【図面の簡単な説明】
【００２２】
【図１】本発明の堤体又は盛土の補強構造の一例を示す模式図である。
【図２】従来の築堤工法を示す模式図である。
【符号の説明】
【００２３】
１      堤体
２      土嚢
３      長尺土嚢
ａ      俯角
ｂ      土嚢部分の長さ
【図１】
0004627464.tif 000002
【図２】
0004627464.tif 000003